(57)【特許請求の範囲】
【請求項１】
杭頭に打撃力を伝えて打込む杭打工具において、杭頭に当接する押当て部材と打撃用チゼルを一体に形成するとともに、前記押当て部材の杭打撃面全体を、中心部が打撃用チゼルの軸線と概略一致する連続した半球状又は半楕円球状凹曲面に形成したことを特徴とする杭打工具
【発明の詳細な説明】
【０００１】
【発明の属する技術分野】
本発明は杭の頭にブレーカ等の打撃力を与えて打込む杭打工具に関する。
【０００２】
【従来の技術】
地中に杭を打込む場合、従来は図９のように、ブレーカ等のチゼルと杭の間に押当て部材を介在させ、ブレーカの打撃力をチゼルから押当て部材を介して杭頭に与えていた。
【０００３】
【発明が解決しようとする課題】
ところが、従来の押当て部材は，図９、１０のように、杭当接部５が平坦面であるため、杭頭４を押当て部材２の当接部５中央に位置合せすることが困難であり、また、打撃の振動で杭頭４の横ずれが生じ、杭頭４の軸線方向に安定した打撃を与えることが困難であった。
【０００４】
また、従来のものは押当て部材２がチゼル３と別体であるため、図１０のように打撃の際に押当て部材２が傾転し、杭が傾いて打込まれることがある。このように、押当て部材２が傾倒すると、押当て部材２がこじられて変形するだけでなく、杭頭４先端部が偏平に拡大し、割れたり、縁がくずれたりする。特に、杭頭がつぶれると押当て部材２の杭頭受入凹部６に緊密に嵌まり、杭頭４から押当て部材２が抜けなくなってしまう。
【０００５】
さらに、従来はブレーカチゼル３のくさび状先端部８を押当て部材２のＶ字形凹部９で受ける構造であるため、押当て部材２に亀裂１０が発生するという問題があった。
【０００６】
従って、本発明の目的は、押当て部材の中心に杭頭が容易に位置合せされ、打撃力がロスなく杭頭軸芯方向に付与されるとともに、杭頭が偏平に拡大損傷することがなく、さらに、押当て部材に損傷が生じない構造の杭打工具を提供することにある。
【０００７】
【課題を解決するための手段】
上記目的を達成するために、本発明は、杭頭に打撃力を伝えて打込む杭打工具において、杭頭に当接する押当て部材と打撃用チゼルを一体に形成するとともに、前記押当て部材の杭打撃面全体を、中心部が打撃用チゼルの軸線と概略一致する連続した半球状又は半楕円球状凹曲面に形成したことを特徴とする。
【０００８】
【発明の実施の形態】
図１及び図２に示すように、本発明の杭打工具１は、杭頭に当接される押当て部材２と、ブレーカ（図示せず）などの打撃発生装置に結合されるチゼル３とを一体に形成した一体もので構成されている。
この一体構成は、押当て部材２とチゼル３をはじめから鋼材で一体成形してもよく、また、図２のように、別体に形成した押当て部材２とチゼル３を溶接等で結合して一体化してもよい。
後者の場合は、図２のように、結合面を水平端面にして一体化するのが望ましい。
【０００９】
押当て部材２は、チゼル３の反対側に、杭頭４への当接部５を有する凹部６を形成してある。この凹部６は押当て部材２の先端側、すなわち、チゼル３の反対側に開口している。
押当て部材２の前記凹部６の上壁面にある杭頭当接部５は、逆すり鉢状の凹曲面（くぼみ面）に形成されているとともに、この凹曲面はその中心部が前記チゼル３の軸線と概略一致するように構成されている。
【００１０】
本発明の杭打工具１は杭頭４に押し当てる当接部５が上記のように凹曲面であることが必要であるが、押当て部材２の外形及び筒体部７自体の形状は方形、円形その他どのような形状でもよい。
【００１１】
当接部５の凹曲面は、杭頭４の縁の複数個所が凹曲面に当接され、杭頭４を曲面に沿って当接部５の中央に案内するとともに、左右及び前後の横ずれを規制するための構造である。従って、当接部５の凹曲面は、図３乃至図５のように半球の凹曲面でもよく、また、図６乃至図８のように半楕円球状の凹曲面でもよい。
【００１２】
このように押当て部材２の杭頭当接部５を凹曲面に形成したことにより、先端が水平な杭頭４の上方から杭打工具１の押当て部材２を垂直に降ろすと、図３乃至図８に示すように、杭頭４は円形、方形、三角形その他形状のいかんにかかわらず、縁の複数個所が当接部５の凹曲面に当接し、この窪み状の凹曲面に案内されて当接部５の中央部が杭頭４に安定した状態で押し当てられる。
【００１３】
すなわち、図３のように、押当て部材２の当接部５が半球状の凹曲面で、且つ、杭頭４が円形の場合は、円形杭頭４の縁全体が当接部５の凹曲面によって当接部５の窪みの中央に納まるとともに、左右前後の横ずれが規制される。
【００１４】
また、図６のように、当接部５の凹曲面が半楕円球状で、杭頭４が円形の場合は、円形杭頭４の相対する２ケ所の縁が凹曲面に当接し、該曲面によって当接部５の中央に納まり、左右前後の横ずれが不能となる。
【００１５】
さらに、図４、５、７、８のように杭頭４が角形の場合は、杭頭４の角部が凹曲面に当接することにより、凹曲面の中央に納まるとともに、左右前後の横ずれが規制される。
【００１６】
このように本発明は、杭頭４が押当て部材２の当接部５の中央部にセットされ、左右前後の横ずれが規制されるものであるが、さらに、押当て部材２の当接部５は、その凹曲面の中心がチゼル３の軸線に合うように形成されているので、チゼル３と杭頭４が同軸線上に配列され、チゼル３の打撃力は杭頭４の中心に垂直に伝達される。
【００１７】
また、杭頭４は当接部５の凹曲面に当接しているので杭頭４が打撃力を受けても、外側には変形しにくく、内側へ絞られるように変形する。従って、打撃力は常に杭頭４に均一に与えられる。
【００１８】
【効果】
本発明の杭打工具は、杭頭への押当て面がすり鉢状の凹曲面に形成されているので押当て部材の当接部を杭頭に押し当てると、凹曲面によって当接部の中央部が杭頭に合致するように案内され、自動的に中心の位置決めがなされる。
従って、押当て部材の当接部は常にその中央部が杭頭に押し当てられるとともに、凹曲面によって杭頭の前後、左右の動きが規制され、横ずれが不能になる。
【００１９】
押当て部材の当接部は、その凹曲面の中心部がチゼルの軸芯に一致するように形成されているので、打撃力は常に杭頭の軸線に合致して付与される。
【００２０】
杭頭への押当て部材とチゼルが一体であるので、打撃力が屈折されることがなく、効率良く杭頭に伝達される。また、押当て部材がチゼルの打撃力によって押当て部材に亀裂等の損傷するおそれがなくなる。
【図面の簡単な説明】
【図１】  本発明による杭打工具の側面図
【図２】  図１の縦断面図
【図３】  押当て部材凹状球曲面と杭頭の当接説明図
【図４】  押当て部材凹状球曲面と杭頭の当接説明図
【図５】  押当て部材凹状球曲面と杭頭の当接説明図
【図６】  押当て部材凹状球曲面と杭頭の当接説明図
【図７】  押当て部材凹状球曲面と杭頭の当接説明図
【図８】  押当て部材凹状球曲面と杭頭の当接説明図
【図９】  従来の杭打工具縦断面図
【図１０】  従来の杭打工具の打込例示図
【符号の説明】
１…杭打工具
２…押当て部材
３…チゼル
４…杭頭
５…当接部
６…凹部
７…筒体部
８…くさび状先端部
９…Ｖ字形凹部
１０…亀裂
【図１】
0004107538.tif 000002
【図２】
0004107538.tif 000003
【図３】
0004107538.tif 000004
【図４】
0004107538.tif 000005
【図５】
0004107538.tif 000006
【図６】
0004107538.tif 000007
【図７】
0004107538.tif 000008
【図８】
0004107538.tif 000009
【図９】
0004107538.tif 000010
【図１０】
0004107538.tif 000011